(57)【要約】【課題】  データの読み書きを迅速に行うことができ、かつ安全性を有したリーダライタユニットを提供すること。【解決手段】  リーダライタユニット１０は、地面Ｅに立設する柱１に設置されたＩＣタグ４に非接触でデータの読み書きを可能とするリーダライタ本体１１と、リーダライタ本体１１との間でデータの送受信を行う端末１２と、リーダライタ本体１１と端末１２とを取付けるとともにリーダライタ本体１１を柱１のＩＣタグ４の設置位置まで端末１２から離間させる長尺な保持部１３とを備えたことを特徴とする。【選択図】    図１
2006185002.tif 000002
【特許請求の範囲】
【請求項１】
地面に立設する柱に設置されたＩＣタグに非接触でデータの読み書きを可能とするリーダライタ本体と、
前記リーダライタ本体との間でデータの送受信を行う端末と、
前記リーダライタ本体と前記端末とを取付けるとともに前記リーダライタ本体を前記柱のＩＣタグ設置位置まで前記端末から離間させる長尺な保持部と
を備えたことを特徴とするリーダライタユニット。
【請求項２】
前記リーダライタ本体と前記端末とを通信可能に接続するリード線を備えたことを特徴とする請求項１記載のリーダライタユニット。
【請求項３】
前記保持部は、伸縮自在に構成されていることを特徴とする請求項１または２記載のリーダライタユニット。
【発明の詳細な説明】
【技術分野】
【０００１】
本発明は、ＩＣタグのデータを処理するためのリーダライタユニットに関する。
【背景技術】
【０００２】
電柱等の通信設備の点検を行う場合や電柱にワイヤー・ケーブル等の架渉および取替えを行う場合には、これらの設備関連情報を維持管理する必要がある。電柱等の通信設備を管理するにあたっては、取替工事や新設工事などを実施した場合、工事現場の通信設備の電柱番号札に記載されている電柱番号を控えておき、このデータを事務所に持ち帰り据え      置きされているホストコンピュータに、この電柱番号から当該設備を検索し、メンテナンスや工事の結果等の情報を入力することによって設備データの維持管理を行っている。
【０００３】
したがって、従来のシステムで、例えば電柱やこれに付帯する携帯端末用のＣＳ−ＢＯＸ等（以下、「電柱・ＣＳ−ＢＯＸ等」という）に関する情報を管理する場合、その都度、事務所に設置しているホストコンピュータを操作して各電柱の情報を確認する必要があり、現場で情報を得ることができないと同時に新たな情報を入力することもできない。そこで、電柱の情報をその場で読み書きして最新の情報に更新できるＩＣタグを電柱・ＣＳ−ＢＯＸ等に設置して、そのデータをリーダライタにより読み書きするシステムが提案されている。このリーダライタでＩＣタグのデータを読み書きすることによって、現場で電柱・ＣＳ−ＢＯＸ等に関する情報を簡単に得ることができると同時に新たな情報を簡単に入力することができる。
なお、物品のデータをその場で読み書きして最新のデータに更新できるＩＣタグをその物品に取付け、ＩＣタグに記録された物品に関する所定のデータを読み書きするリーダライタは、種々提案されている（例えば、特許文献１参照）。
【特許文献１】特開２００４−１０２９４７号公報
【発明の開示】
【発明が解決しようとする課題】
【０００４】
ところが、ＩＣタグが電柱の中央部または上部、すなわち高所に位置することがあり、この場合、梯子あるいはバケット車を用いてその位置まで移動してＩＣタグのデータを読み書きする。このとき、梯子あるいはバケット車を準備し、その位置まで移動するまでに時間を要するため、データの読み書きを迅速に行うことができない。さらに、データを読み書きする際に高所作業を伴うため、安全面に関して十分に配慮しなければならない。
【０００５】
本発明は、このような事情を考慮してなされたもので、データの読み書きを迅速に行うことができ、かつ安全性を有したリーダライタユニットを提供することを目的とする。
【課題を解決するための手段】
【０００６】
本発明は、上記課題を解決するため、以下の手段を採用する。すなわち請求項１に係る発明のリーダライタユニットは、地面に立設する柱に設置されたＩＣタグに非接触でデータの読み書きを可能とするリーダライタ本体と、前記リーダライタ本体との間でデータの送受信を行う端末と、前記リーダライタ本体と前記端末とを取付けるとともに前記リーダライタ本体を前記柱のＩＣタグ設置位置まで前記端末から離間させる長尺な保持部とを備えたことを特徴とする。
このように構成することで、低所にいて端末を操作できるとともに高所に位置するＩＣタグにリーダライタ本体を接近させることが可能となる。
【０００７】
また、請求項２に係る発明のリーダライタユニットは、前記リーダライタ本体と前記端末とを通信可能に接続するリード線を備えたことを特徴とする。
このように構成することで、リーダライタ本体と端末とが、他の通信に影響されることなく直接通信可能となる。
【０００８】
また、請求項３に係る発明のリーダライタユニットにおいて、前記保持部は、伸縮自在に構成されていることを特徴とする。
このように構成することで、使用時には保持部を伸ばしてＩＣタグ設置位置に合わせてリーダライタ本体の設置位置を調整可能とし、非使用時には保持部を縮めてリーダライタユニットを小型化することが可能となる。
【発明の効果】
【０００９】
請求項１に係る発明のリーダライタユニットによれば、低所にいて端末を操作できるとともに高所に位置するＩＣタグにリーダライタ本体を接近させることが可能となるため、高所作業を行う必要がないので、安全に利用することができる。また、高所作業を行うための準備を行う必要もないので、迅速に利用することができる。
【００１０】
請求項２に係る発明のリーダライタユニットによれば、リーダライタ本体と端末とが、他の通信に影響されることなく直接通信可能となるので、データを正確に読み書きすることができる。
【００１１】
請求項３に係る発明のリーダライタユニットによれば、保持部を伸縮させてリーダライタ本体の設置位置を適当に調整可能となるとともに、保持部を縮めてリーダライタユニットを小型化することが可能となるので、利便性および携帯性に優れるという効果を得ることができる。
【発明を実施するための最良の形態】
【００１２】
以下、本発明の実施の形態を図１に基づいて説明する。
地面Ｅ上の道路の両側には、所定の間隔をおいて複数の電柱１が道路に沿って立設されている。これら電柱１の上部には、通信または電力等に用いられるケーブル２が取付けられている。このケーブル２は、道路に沿って隣接する電柱１につながれることにより所定の位置から別の所定の位置まで通信または電力供給等ができるようになっている。
また、電柱１の上部には、携帯端末用基地局として用いられるＣＳ−ＢＯＸ３が設置されている。このＣＳ−ＢＯＸ３の内部には、管理データ類を読み書き可能なＩＣタグ４が取付けられている。
なお、これらケーブル２およびＣＳ−ＢＯＸ３は、第３者による容易な接触を回避するために、電柱１の上部に設置されている。
【００１３】
ここで、ＩＣタグ４には、読み書き可能な管理データ類として、例えば電柱番号、電柱種別、地権者情報、建設年度、不良設備情報、点検者、および点検年月日が入力されている。このように通信設備の点検記録等が記録されることで、電柱１のメンテナンス管理に活用することができる。
なお、その他のデータ類として、複数設置された電柱１を用いた行政等との提携による住所情報、安全情報が入力されてもよい。このように当該場所に関する情報が記録されることで、例えば身体障害者への情報提供に利用することができ、また、道路案内、危険情報を提供する等の福祉活動にも利用することができる。また、データ類として観光情報を入力して、観光案内情報の提供に利用してもよい。なお、これら管理データ類には、第３者によって読み書きできないように暗号化される等、確実な情報セキュリティがなされている。
【００１４】
このＩＣタグ４の設置位置が電柱１の上部にあるため、ＩＣタグ４の管理データ類を読み書きするために、以下に示すリーダライタユニット１０が用いられる。すなわち、リーダライタユニット１０は、ＩＣタグ４に非接触でＩＣタグ４の管理データ類の読み書きを可能とするリーダライタ（リーダライタ本体）１１と、作業者が自らの手で保持し、リーダライタ１１との間で管理データ類の送受信を行いかつそれら管理データ類を表示するＰＤＡ（端末）１２と、これらリーダライタ１１およびＰＤＡ１２を取付ける竿（保持部）１３を備えている。この竿１３は、リーダライタ１１をＩＣタグ４の設置位置までＰＤＡ１２から離間させるようになっており、長尺かつ伸縮自在な構成となっている。
また、これらリーダライタ１１および端末１２は、リード線１４を介して通信可能に接続されている。
【００１５】
上記の構成からなるリーダライタユニット１０を用いて、電柱１の点検時等において電柱１の情報を得るとともに、その情報を更新する際には、以下のような手順を用いて行う。すなわち、点検する電柱１の上部に取付けられたＣＳ−ＢＯＸ３内のＩＣタグ４に竿１３を伸ばしてリーダライタ１１を接近させる。この状態でＰＤＡ１２を操作してＩＣタグ４の管理データ類をＩＣタグ４から非接触で読み取り、該ＰＤＡ１２に入力して情報を確認する。
【００１６】
その後、電柱１の点検等によって管理データ類の既存の情報を更新した場合、その更新された情報についての管理データ類をＰＤＡ１２から出力して、ＩＣタグ４にリーダライタ１１を接近させてＩＣタグ４に非接触で書き込む。また、リーダライタユニット１０から遠隔の位置に据え置きされているホストコンピュータＨに、ＰＤＡ１２を用いてその管理データ類を送受信する。なお、このホストコンピュータＨには通信設備の各電柱１についての情報が管理されており、電柱番号を入力検索することにより過去に実施されたメンテナンス情報や工事履歴・電柱の種別・地権者等の情報を得ることができる。したがって、電柱１が設置された現場で各電柱１についての情報を得ることができるとともに、電柱１の情報を更新することができる。
そして、ＩＣタグ４への読み書きが終了した後、竿１３を縮めてリーダライタ１１とＰＤＡ１２とを接近させてリーダライタユニット１０を小型化する。
【００１７】
ここで、ＩＣタグ４の管理データ類を読み書きする際、竿１３を伸ばしてリーダライタ１１をＩＣタグ４に接近させることが可能となるため、作業者が足場、梯子あるいはバケット車等を用いて高所に上がることなく、地上等の低所にいながらＰＤＡ１２に表示されたデータを確認してＰＤＡ１２を操作できるとともに、高所に位置するＩＣタグ４にリーダライタ１１を接近させることが可能となる。したがって、作業者が高所作業を行う必要がないので、安全に利用することができる。また、高所作業を行うための準備を行う必要もないので、迅速かつ効率的に利用することができる。
【００１８】
また、リーダライタ１１とＰＤＡ１２とがリード線１４によって接続されていることにより、他の通信に影響されることなく直接通信可能となるので、ＩＣタグ４の管理データ類を正確に読み書きすることができる。
また、リーダライタユニット１０を使用するときには竿１３を伸ばしてＩＣタグ４の設置位置に合わせてリーダライタ１１の設置位置を調整可能とする一方、リーダライタユニット１０を使用しないときには竿１３を縮めてリーダライタユニット１０を小型化することが可能となる。したがって、リーダライタユニット１０は利便性および携帯性に優れるものとなる。
【００１９】
なお、上記実施の形態において、リーダライタ１１とＰＤＡ１２とが無線により通信可能であれば、リード線１４で接続されなくてもよい。
また、上記実施の形態において、リーダライタ１１が高所に位置するＩＣタグ４に接近可能であれば、竿１３は伸縮自在に構成されなくてもよい。
【図面の簡単な説明】
【００２０】
【図１】本発明の実施の形態に係るリーダライタユニットの概略構成図である。
【符号の説明】
【００２１】
Ｅ  地面
１  電柱（柱）
３  ＣＳ−ＢＯＸ
４  ＩＣタグ
１０  リーダライタユニット
１１  リーダライタ（リーダライタ本体）
１２  ＰＤＡ（端末）
１３  竿（保持部）
１４  リード線
【図１】
2006185002.tif 000003